(57)【要約】【課題】ユニットの取手としての機能を保ちながらオペレータの操作を阻害する虞のない取手を提供すること。【解決手段】係合鉤部４１Ａを備えた固定プレート４１と、係合鉤部５０Ａを備えた係合部材５０がビス７０で回動可能に取付けられている可動プレート４２を用い、これら固定プレート４１と可動プレート４２をビス６０で回動可能し、固定プレート４１と可動プレート４２を一緒に握ることにより、実線で示す係合部材５０と係合鉤部５０Ａが夫々破線５０’と破線５０Ａ’に示すように動くようにすると共に、ユニット２０のパネル２１には矩形孔２２を設けたもの。【選択図】図１
2008004824.tif 000002
【特許請求の範囲】
【請求項１】
一方の端部に略直角方向に突出した係合鉤部が形成され、他方の端部には係合鉤部が形成されている係合部材が軸支された略帯板状部材の固定プレートと、この固定プレートの前記一方の端部の近傍に軸支され、他方の端部にはカラーが取付けられている略帯板状部材の可動プレートとを備えると共に、
前記係合部材に前記可動プレートの端部にあるカラーが係合される長円形孔を設け、
前記可動プレートの動きにより前記係合部材が回動されるように構成したことを特徴とする着脱式取手。
【発明の詳細な説明】
【技術分野】
【０００１】
本発明は、機器の取り扱いに使用される取手に係り、特に、ユニット化された通信機器に好適な着脱式取手に関する。
【背景技術】
【０００２】
例えば放送局などにおいて使用される設置式の通信機器や電子機器の場合、機能別にユニット化された複数の機器から構成されるのが一般的であるが、ここで、図３は、このようなユニット化された機器の一例として、設置式の通信装置を示したもので、これは、その本体１に垂直パネル部分１０と水平パネル部分１１を備え、これらに夫々ユニット２０を設置したものであるが、このとき各ユニット２０は、保守及び点検時にオペレータ(機器を操作する人)が、図では破線で示されているように、本体１から取出して作業する必要がある。
【０００３】
そこで、このときのオペレータの作業を容易にするため、各ユニット２０には、予め所定の取手(把手)が取付けてあるのが通例であり、この場合、各ユニット２０には、夫々、図示のように、取手３０が設けられていることになるので、オペレータは、本体１からのユニット２０の取り出し作業や本体１へのユニット２０の収納作業を簡単に行うことができるようになる(例えば特許文献１又は特許文献２などを参照。)。
【特許文献１】特開２００３−３１８５５５号公報
【特許文献２】特開２００４−１５２８７９号公報
【発明の開示】
【発明が解決しようとする課題】
【０００４】
上記従来技術は、ユニットに取手が常時存在している点に配慮がされておらず、通常の機器使用時にオペレータの操作が阻害されてしまう虞があった。例えば図３に示したユニット２０のパネル２１には、図には描かれていないが、着脱を要するコネクタや操作用のノブ(つまみ)、押しボタンなど、オペレータが操作しなければならない部材が設けられている場合があり、このとき取手３０がパネル２１に存在していると、これが邪魔になってオペレータの操作が阻害されてしまう虞が生じてしまうのである。
【０００５】
しかも、この取手３０は、人間の指の大きさを考慮する必要があるため、保守や点検時にしか使用されないにもかかわらず、或る程度の大きさに作らざるを得ず、この結果、ユニット２０のパネル２１の面から大きく突出した状態になってしまうので、オペレータの操作に影響しないようにするのが難しく、また、この結果、複数のユニット間でデザインの統一が困難で、意匠面での改善にも難点があった。
【０００６】
本発明の目的は、ユニットの取手としての機能を保ちながらオペレータの操作を阻害する虞のない取手を提供することにある。
【課題を解決するための手段】
【０００７】
上記目的は、一方の端部に略直角方向に突出した係合鉤部が形成され、他方の端部には係合鉤部が形成されている係合部材が軸支された略帯板状部材の固定プレートと、この固定プレートの前記一方の端部の近傍に軸支され、他方の端部にはカラーが取付けられている略帯板状部材の可動プレートとを備えると共に、前記係合部材に前記可動プレートの端部にあるカラーが係合される長円形孔を設け、前記可動プレートの動きにより前記係合部材が回動されるようにして達成される。
【０００８】
従って、本発明は、通常はユニットから外されて別な場所に保管されているが、装置からユニットを取出す時に取手をユニットに引っ掛けて使用する取手で、ユニットに取手を引っ掛けた際に固定出来る機構を備えた取手であり、更にユニットに取手を引っ掛けた際にワンタッチで固定及び脱着出来る機構を特徴とした取手であり、それに取手を握っている状態で常にロックが掛っていることを特徴とした取手である。
【発明の効果】
【０００９】
本発明によれば、必要なとき簡単な操作でユニットの外からパネルに取手が固定でき、不要なときは取手が取外しておけるので、通常の機器運用時にはパネルから突出している物体が存在しないようにでき、従って、通常の機器運用に際してオペレータの操作が阻害されること無く常に的確な操作が得られると共に、保守点検に際してのユニットの取り扱いにも常に的確に対応することができる。
【００１０】
また、本発明によれば、保守時や点検時以外は取手が無いので、他のユニットのデザインを考慮する必要が無くなり、この結果、デザインに統一感を持たせることが容易にできるようになった。
【発明を実施するための最良の形態】
【００１１】
以下、本発明によるユニット機器用取手について、図示の実施の形態により詳細に説明する。ここで、図１が本発明の一実施の形態で、ここに示したユニット２０は、図３により説明した従来技術におけるユニット２０と同じものであり、従って、この図１の(a)には、図３の垂直パネル１０又は水平パネル１１から引き出したユニット２０が描かれていることになるが、しかし、このユニット２０の場合、そのパネル２１には取手は無く、これに代えて長方形の孔、つまり矩形孔２２が、取手の足に相当する位置に２個づつ対になって、合計４個設けてある。そして、これら矩形孔２２には、図１(b)、(c)に示すように、着脱式取手４０が、その名の通り、着脱自在に係合されるようになっている。
【００１２】
そこで、次に、この着脱式取手４０の詳細について、更に図２を用いて説明する。ここで、まず図１(b)は、ユニット２０のパネル２１に係合させた状態にある着脱式取手４０を側面から見た図で、同図(c)は、着脱式取手４０を正面から見た図、そして図２は、着脱式取手４０を分解して斜から見た図であり、これらの図から明らかなように、この着脱式取手４０の本体は２枚の部材で構成されている。
【００１３】
そこで、一方の部材を略Ｌ字形の部材からなる固定プレート４１とし、他方は略コの字形の部材からなる可動プレート４２とする。そして、これら固定プレート４１と可動プレート４２を、それらの一方の端部(図では下端部)の近傍において、ビス６０とカラー６１、それにワッシャ６２及び袋ナット６３により軸支して相互に回動可能に結合する。このとき図１(c)ではワッシャ６２と袋ナット６３が省略されている。なお、ビス(vis)とは比較的小さなネジ又は比較的小さなボルトのことである。
【００１４】
ここで、まず固定プレート４１は、その一方の端部に係合鉤部４１Ａが形成してあり、他方の端部(図では上端部)には、ビス７０とカラー７１、それにワッシャ７２及び袋ナット７３により係合部材５０が軸支され、相互に回動可能な状態で支持されている。そして、この係合部材５０に、係合鉤部５０Ａと長円形孔５０Ｂが形成してある。なお、このときも図１(c)ではワッシャ７２と袋ナット７３が省略されている。
【００１５】
次に、可動プレート４２は、その他方の端部(図では上端部)に、カラー８０が、ビス８１とワッシャ８２及び袋ナット８３により取付けてあり、可動プレート４２が固定プレート４１に重ねられた状態では、このカラー８０が係合部材５０の長円形孔５０Ｂに入り込んでいるようになっている。なお、このときも図１(c)ではワッシャ８２と袋ナット８３は省略されている。
【００１６】
そこで、可動プレート４２は、固定プレート４１に対して回動可能な範囲は、カラー８０が係合部材５０の長円形孔５０Ｂに入り込んでいることから、図１(b)において、カラー８０が円弧線Ａに沿って長円形孔５０Ｂの中にある範囲となり、このとき可動プレート４２の移動範囲は、固定プレート４１に重なっている実線で示す状態から、図に破線で示した状態４２’の間に制限される。そして、このときカラー８０が長円形孔５０Ｂに対してカムとして働くことから、係合部材５０も実線で示す位置から破線５０’で示す位置に動かされることになる。
【００１７】
ところで、固定プレート４１に係合部材５０を取付けているビス７０には、図示のように、皿頭のねじ、いわゆる皿ネジが用いられ、これに対応して、固定プレート４１のビス７０が挿入される孔には座繰り加工４１Ｃが施されている。そこで可動プレート４２が固定プレート４１に重ねられたとき、特に図１(c)から明らかなように、これらの間に隙間が残ってしまうことがないようにしてある。
【００１８】
また、このとき、固定プレート４１には、それが係合鉤部４１Ａに延びている部分に屈曲部４１Ｂが形成してあり、これにより、特に図１(c)から明らかなように、係合鉤部４１Ａと係合部材５０が固定プレート４１に対して同じ位置(面)に揃うように構成してある。
【００１９】
次に、この実施形態による着脱式取手４０の使用態様について説明する。まず、この実施形態においては、既に説明したように、ユニット２０のパネル２１に矩形孔２２が設けてあるが、このとき、特に図１(b)から明らかなように、対になっている２個の矩形孔２２の間隔に合わせて着脱式取手４０の大きさが決められている。
【００２０】
具体的には、図示のように、可動プレート４２を破線４２’で示す位置にして、係合部材５０の係合鉤部５０Ａを破線５０Ａ’で示す状態にしたとき、固定プレート４１の係合鉤部４１Ａを一方の矩形孔２２、図では下にある矩形孔２２に挿入してパネル２１の裏側に係合したあと、破線位置５０Ａ’にある係合鉤部５０Ａが他方の矩形孔２２、図では上にある矩形孔２２に挿入することができるような寸法に作られている。
【００２１】
そこで、いま、オペレータが、図３の状態にあるユニット２０の保守点検を意図したとする。この場合、オペレータは、着脱式取手４０を、図１(b)に破線で示すように、ユニット２０の矩形孔２２に挿入し、下側の係合鉤部４１Ａがパネル２１の裏側に係合した状態になるようにする。そして、この後、破線４２’で示す状態にある可動プレート４２を固定プレート４１と一緒に握ってやると、破線５０Ａ’で示す位置にあった上側の係合鉤部５０Ａが、ここで、実線で示すように動かされ、パネル２１の裏側に係合するようになる。
【００２２】
このとき下側の係合鉤部４１Ａは、既にパネル２１の裏側に係合しているから、ここで上側の係合鉤部５０Ａが実線で示すように動かされたことにより、着脱式取手４０は、上側の係合鉤部５０Ａと下側の係合鉤部４１Ａによりパネル２１に係止された状態にされてしまうことになり、この結果、オペレータは、着脱式取手４０により、図３により説明した従来の固定されている取手２０の場合と同じく、本体１からのユニット２０の取り出し作業や本体１へのユニット２０の収納作業を簡単に行うことができる。
【００２３】
このとき上側の係合鉤部５０Ａがパネル２１に加えている力は、オペレータが固定プレート４１と可動プレート４２に加えている握力により決まる。そこで、オペレータが或る程度以上、強く握ることにより、着脱式取手４０は強固にユニット２０に係止されていることになり、従って、取り扱い中にユニット２０から着脱式取手４０が外れてしまう虞はなく、ユニット２０の取り扱いに取手の存在による利点を充分に活かすことができ、ユニットを取り落としてしまうなどの不慮の事故の発生を抑えることができる。
【００２４】
従って、この実施形態に係る着脱式取手４０によれば、必要なときだけユニット２０に取手を取付け、不要になったら取り外すことができるようになり、この結果、設置式の通信装置の通常の機器運用に際してオペレータの操作が阻害される虞が無く、常に的確な操作が行えると共に、保守点検に際してのユニット２０の取り扱いにも常に的確に、且つ用に対応することができる。
【図面の簡単な説明】
【００２５】
【図１】本発明による脱着式取手の一実施形態を示す説明図である。
【図２】本発明の一実施形態を示す分解斜視図である。
【図３】ユニット化された通信装置の従来技術の一例を示す説明図である。
【符号の説明】
【００２６】
１：本体(通信装置の本体)
１０：垂直パネル部分
１１：水平パネル部分
２０：ユニット
２１：パネル(ユニットのパネル)
２２：矩形孔
４０：着脱式取手
４１：固定プレート
４１Ａ：係合鉤部(固定プレートの係合鉤部)
４１Ｂ：屈曲部
４１Ｃ：座繰り加工
５０：係合部材
５０Ａ：係合鉤部
５０Ｂ：長円形孔
６０：ビス
６１：カラー
６２：ワッシャ
６３：袋ナット
７０：ビス
７１：カラー
７２：ワッシャ
７３：袋ナット
８０：カラー
８１：ビス
８２：ワッシャ
８３：袋ナット
【図１】
2008004824.tif 000003
【図２】
2008004824.tif 000004
【図３】
2008004824.tif 000005